(57)【要約】【課題】情報量を小さくしたうえで、ミスレジストレーションを防止することが可能な画像データの伝送技術を確立すること。【解決手段】劣化装置１Ｓは、カラー画像データを劣化させる。復元装置１Ｒは、劣化された当該カラー画像データから劣化前の当該カラー画像データを復元する。具体的には、前記劣化装置１Ｓのうち輝度信号劣化部３３、色差信号劣化部３４、及び画像縮小部３６は、前記カラー画像データを劣化させる劣化処理を実行することで、劣化カラー画像データとしてＹ’画像データ、Ｕ’’画像データ及びＶ’’画像データを生成する。復元装置１ＲのうちＹＵＶ−ＲＧＢ変換部４３は、劣化カラー画像データをＲＧＢ形式に変換する。そして、復元装置１Ｒのうち超解像処理部４５及びカラー復元画像生成部４７は、前記カラー画像データを復元する復元処理を実行する。【選択図】図３
2017058739.tif 000002
【特許請求の範囲】
【請求項１】
カラー画像データを劣化させる劣化装置と、劣化された当該カラー画像データから劣化前の当該カラー画像データを復元する復元装置とを含む情報処理システムにおいて、
前記劣化装置は、前記カラー画像データを劣化させる劣化処理を実行することで、劣化カラー画像データを生成し、
前記復元装置は、前記劣化カラー画像データをＲＧＢ形式に変換したうえで、前記カラー画像データを復元する復元処理を実行する、
情報処理システム。
【請求項２】
前記劣化装置は、前記カラー画像データの形式をＹＵＶ形式に変換したうえで、前記劣化処理を実行することで、ＹＵＶ形式の前記劣化カラー画像データを生成し、
前記復元装置は、ＹＵＶ形式の前記劣化カラー画像データをＲＧＢ形式に変換したうえで、前記カラー画像データを復元する前記復元処理を実行する、
請求項１に記載の情報処理システム。
【請求項３】
前記劣化装置は、前記劣化処理として、
ＹＵＶ形式の前記カラー画像データのうち輝度信号画像データを処理対象とする、固定の定まった点像分布によるコンボリューションを適用した第１の劣化処理と、
ＹＵＶ形式の前記カラー画像データのうち色差信号画像データを処理対象とする、ローパスフィルタを適用した第２の劣化処理と、
を夫々実行する、
請求項２に記載の情報処理システム。
【請求項４】
前記劣化装置は、前記劣化処理としてさらに、前記第２の劣化処理が施された前記色差信号画像データの解像度を減少させる第３の劣化処理を実行する、
請求項３に記載の情報処理システム。
【請求項５】
カラー画像データを劣化させる劣化装置と、劣化された当該カラー画像データから劣化前の当該カラー画像データを復元する復元装置とを含む情報処理システムにおける、前記劣化装置と前記復元装置が実行する情報処理方法であって、
前記劣化装置は、前記カラー画像データを劣化させる劣化処理を実行することで、劣化カラー画像データを生成し、
前記復元装置は、前記劣化カラー画像データをＲＧＢ形式に変換したうえで、前記カラー画像データを復元する復元処理を実行する、
情報処理方法。
【発明の詳細な説明】
【技術分野】
【０００１】
本発明は、情報処理システム及び情報処理方法に関する。
【背景技術】
【０００２】
従来から、複数の装置間で画像データの伝送が行われている（特許文献１乃至４参照）。
近年、撮像装置や表示装置のスペックの向上や低価格化が進み、画像データのサイズが急増していることに伴い、画像データの伝送量も爆発的に増大している。このため、画像データを圧縮したうえで伝送することが必要である（特許文献１乃至４参照）。
【先行技術文献】
【特許文献】
【０００３】
【特許文献１】特許第４５７５３８７号公報
【特許文献２】特許第４５６８７３０号公報
【特許文献３】米国特許第７８９９２５４号公報
【特許文献４】米国特許第８０１９８０３号公報
【発明の概要】
【発明が解決しようとする課題】
【０００４】
しかしながら、画像データを圧縮することは、元の画像データのうち何らかの情報を欠落していることを意味している。即ち、画像データの圧縮は、画像データの劣化ということもできる。
このため、特許文献１乃至４を含め従来の技術で圧縮して伝送した画像データに対して、復元処理を施した画像データに基づいて、表示装置に画像を表示させると、ミスレジストレーションが生じしてしまうことが多々あった。
【０００５】
本発明は、このような事情に鑑みてなされたものであり、情報量を小さくしたうえで、ミスレジストレーションを防止することが可能な画像データの伝送技術を確立することを目的とするものである。
【課題を解決するための手段】
【０００６】
上記目的を達成するため、本発明の一実施形態である情報処理システムは、
カラー画像データを劣化させる劣化装置と、劣化された当該カラー画像データから劣化前の当該カラー画像データを復元する復元装置とを含み、
前記劣化装置は、前記カラー画像データを劣化させる劣化処理を実行することで、劣化カラー画像データを生成し、
前記復元装置は、前記劣化カラー画像データをＲＧＢ形式に変換したうえで、前記カラー画像データを復元する復元処理を実行する。
【発明の効果】
【０００７】
本発明によれば、情報量を小さくしたうえで、ミスレジストレーションを防止することが可能な画像データの伝送技術が確立される。
【図面の簡単な説明】
【０００８】
【図１】本発明の一実施形態の情報処理システムの全体構成を示している。
【図２】図１の情報処理システムのうち劣化装置又は復元装置である情報処理装置のハードウェア構成を示すブロック図である。
【図３】図１の情報処理システムのうち劣化装置と復元装置との機能的構成を示す機能ブロック図である。
【図４】カラー原画像と、Ｙ画像、Ｕ画像、Ｖ画像等の例を示す図である。
【図５】Ｙ’’画像、Ｕ’’画像、Ｖ’’画像の例を示す図である。
【図６】復元時のＲ’画像、Ｇ’画像、Ｂ’画像等の例を示す図である。
【図７】復元時のＲ’画像、Ｇ’画像、Ｂ’画像等の別の例（Ｙ’’が生成された場合）を示す図である。
【図８】本発明の適用によるミスレジストレーション解消の効果の一例を示す図である。
【発明を実施するための形態】
【０００９】
以下、本発明の実施形態について、図面を用いて説明する。
【００１０】
図１は、本発明の一実施形態の情報処理システムの全体構成を示している。
図１に示す情報処理システムは、劣化装置１Ｓと、復元装置１Ｒとが、インターネット等の所定のネットワークＮを介して相互に接続されることによって構成されている。
【００１１】
劣化装置１Ｓ及び復元装置１Ｒは、例えばパーソナルコンピュータ等で構成される情報処理装置である。
劣化装置１Ｓは、所定のカラー画像データを劣化させる劣化処理を実行して、その結果得られる画像データ（以下、「劣化カラー画像データ」と呼ぶ）を送信する。
復元装置１Ｒは、劣化装置１Ｓからの劣化カラー画像データを受信し、当該劣化カラー画像データからミスレジストレーションを生じさせる事無く、元のカラー画像データを復元する。
このように、劣化装置１Ｓは、画像データ劣化機能及び送信機能を有する一方で、復元装置１Ｒは、受信機能及び画像データ復元機能を有する。
ただし、実際のパーソナルコンピュータ等に実装する際には、送信機能と受信機能とのうち何れか一方を搭載することは稀である。このため、多くの場合、送信機能と受信機能との両方を搭載し、その結果、画像データ劣化機能と画像データ復元機能との両方も搭載するものと想定される。
そこで、以下、送信機能と受信機能との両方及び画像データ劣化機能と画像データ復元機能との両方を搭載する情報処理装置、即ち劣化装置１Ｓ及び復元装置１Ｒをまとめたものを、「情報処理装置１」と呼ぶ。
つまり、実際には、２台以上の情報処理装置１が、相互に劣化カラー画像データを送受信し合うことができる。
【００１２】
なお、劣化装置１Ｓ及び復元装置１Ｒが実行するこれらの処理の詳細については、図３等を参照して後述する。
【００１３】
図２は、図１の情報処理システムのうち情報処理装置１のハードウェア構成を示すブロック図である。
【００１４】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０と、を備えている。
【００１５】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００１６】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００１７】
出力部１６は、ディスプレイやスピーカ等で構成され、各種情報を画像や音声として出力する。
入力部１７は、キーボードやマウス等で構成され、各種情報を入力する。
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（情報処理装置１が劣化装置１Ｓの場合には復元装置１Ｒであり、情報処理装置１が復元装置１Ｒの場合には劣化装置１Ｓである）との間で通信を行う。
【００１８】
ドライブ２０は、必要に応じて設けられる。ドライブ２０には、磁気ディスク、光ディスク、光磁気ディスク、或いは半導体メモリ等よりなる、リムーバブルメディア２５が適宜装着される。ドライブ２０によってリムーバブルメディア２５から読み出されたプログラムは、必要に応じて記憶部１８にインストールされる。また、リムーバブルメディア２５は、記憶部１８に記憶されている各種データも、記憶部１８と同様に記憶することができる。
【００１９】
図３は、図１の情報処理システムの劣化装置１Ｓと復元装置１Ｒとの機能的構成のうち、画像データを劣化させて伝送してから復元するまでの一連の処理を実行するための機能的構成を示す機能ブロック図である。
【００２０】
劣化装置１ＳのＣＰＵ１１においては、図３に示すように、ＹＵＶ画像生成部３１と、輝度信号劣化部３３と、色差信号劣化部３４と、画像縮小部３６と、通信制御部３８とが機能する。
劣化装置１Ｓの記憶部１８の一領域には、原画像ＤＢ３０と、ＹＵＶ画像保持部３２と、劣化ＹＵＶ画像保持部３５と、縮小劣化ＹＵＶ画像保持部３７とが設けられる。
【００２１】
復元装置１ＲのＣＰＵ１１においては、図３に示すように、通信制御部４０と、画像拡大部４１と、ＹＵＶ−ＲＧＢ変換部４３と、超解像処理部４５と、カラー復元画像生成部４７とが機能する。
復元装置１Ｒの記憶部１８の一領域には、拡大ＹＵＶ画像保持部４２と、ＲＧＢ画像保持部４４と、超解像ＲＧＢ画像保持部４６とが設けられる。
【００２２】
劣化装置１Ｓの原画像ＤＢ３０には、元のカラー原画像データが格納されているものとする。元のカラー原画像データのデータ形式は、ＹＵＶ形式に変換可能なものであれば、任意のデータ形式を採用することができる。
【００２３】
ＹＵＶ画像生成部３１は、原画像ＤＢ３０に格納されたカラー原画像データから、ＹＵＶ形式における画像データ、即ち、Ｙ（輝度信号）画像データ、Ｕ（青色成分色差信号）画像データ、及びＶ（赤色成分色差信号）画像データを生成して、ＹＵＶ画像保持部３２に保持させる。
つまり、カラー原画像データが元々ＹＵＶ形式であれば、ＹＵＶ画像生成部３１は、各成分を抽出する。カラー原画像データが他の形式であれば、ＹＵＶ画像生成部３１は、当該カラー原画像データをＹＵＶ形式に変換したうえで、各成分の画像データを抽出する。
なお、２つの色差信号の色の組み合わせについては例示であって青色と赤色には限定されず、輝度信号と組み合わせることでＲＧＢ形式に変換可能な任意の２色の組み合わせであれば良く、例えば１色を緑色とする２色の組み合わせであっても良い。
【００２４】
ＹＵＶ画像保持部３２は、ＹＵＶ画像生成部３１が生成したＹ画像データ、Ｕ画像データ、及びＶ画像データを保持する。
【００２５】
輝度信号劣化部３３は、ＹＵＶ画像保持部３２が保持するＹ画像データに対して劣化処理を施すことで、情報量が削減したＹ画像データ（以下、「Ｙ’画像データ」と呼ぶ）を生成して、劣化ＹＵＶ画像保持部３５に保持させる。
なお、輝度信号劣化部３３の劣化処理の手法は、Ｙ画像データに適用できる任意のものが採用できるが、一例としては、特許文献１乃至特許文献４に記載された固定の定まった点像分布により劣化させるコンボリューションを採用すると好適である。
【００２６】
色差信号劣化部３４は、ＹＵＶ画像保持部３２が保持するＵ画像データ及びＶ画像データに対してそれぞれ劣化処理を施すことで、情報量が夫々削減されたＵ画像データ及びＶ画像データ（以下、夫々「Ｕ’画像データ」及び「Ｖ’画像データ」と呼ぶ）を生成して、劣化ＹＵＶ画像保持部３５に保持させる。
なお、色差信号劣化部３４の劣化処理の手法は、Ｕ画像データ及びＶ画像データに適用できる任意のものが採用できるが、一例としては、ローパスフィルタを用いた手法を採用すると好適である。
【００２７】
ここで、輝度信号（Ｙ画像データ）は解像度に関係し、色差信号（Ｕ画像データ及びＶ画像データ）は色の鮮やかさや色の質に関係する。
つまり、色差信号は劣化を許しても（情報量を削減した場合）鮮やかさは失われるが、解像度にはほとんど無関係である。むしろ、色差信号の情報を削減した方が、鮮やかさとトレードオフして、ミスレジストレーション（色のはみ出し・色ずれ）を軽減することができる。
【００２８】
劣化ＹＵＶ画像保持部３５は、Ｙ’画像データ、Ｕ’画像データ、及びＶ’画像データを保持する。
【００２９】
画像縮小部３６は、Ｕ’画像データ及びＶ’画像データのサイズを夫々縮小するサイズ変更処理を実行することで、情報量がさらに削減したＵ’画像データ及びＶ’画像データ（以下、夫々「Ｕ’’画像データ」及び「Ｖ’’画像データ」と呼ぶ）を生成して、縮小劣化ＹＵＶ画像保持部３７に保持させる。
ここで、サイズ変更処理もまた、劣化処理の１つということができる。即ち、ＹＵＶ形式の画像データのうち、色差信号の画像データ（Ｕ画像データ及びＶ画像データ）は２回の劣化処理が施されることになる。この様にすることにより、本発明の一実施形態に係る情報処理システムは、復元画像（復元されたカラー画像データにより再生される画像）からミスレジストレーションを抑制しつつ、伝送データ量を削減することができる。
【００３０】
なお、Ｙ’画像データを縮小した後に復元した画像データが、原画像データと比較して特に問題ないものであれば、Ｙ’画像データも縮小することにより、伝送データ量をさらに一段と削減することができる。
そこで、本実施形態では、画像縮小部３６はさらに、Ｙ’画像データについても同様にサイズ変更処理を施すことで、情報量がさらに削減したＹ’画像データ（以下、「Ｙ’’画像データ」と呼ぶ）を生成して、縮小劣化ＹＵＶ画像保持部３７に保持させる。
【００３１】
縮小劣化ＹＵＶ画像保持部３７は、画像縮小部３６が生成したＵ’’画像データ、Ｖ’’画像データ及びＹ’’画像データを保持する。なお、Ｙ’’画像データは前述した通り、実施形態によっては生成されない。図３では、縮小劣化ＹＵＶ画像保持部３７に格納されたＵ’’画像データ及びＶ’’画像データは縮小された結果、劣化ＹＵＶ画像保持部３５に格納されたＹ’画像データ、Ｕ’画像データ及びＶ’画像データより大きさが小さくなっている。
【００３２】
劣化装置１Ｓが備える通信制御部３８は、Ｙ’’画像データ、Ｕ’’画像データ及びＶ’’画像データを、通信部１９（図２）及びネットワークＮを介して、復元装置１Ｒに対して送信する。
【００３３】
復元装置１Ｒの通信制御部４０は、劣化装置１ＳからネットワークＮを介して送信されてくる、Ｙ’’画像データ、Ｕ’’画像データ及びＶ’’画像データを通信部１９（図２）を介して受信させる。
【００３４】
画像拡大部４１は、Ｙ’’画像データ、Ｕ’’画像データ及びＶ’’画像データの夫々のサイズを拡大するサイズ変更処理を実行することで、Ｙ’画像データ、Ｕ’画像データ、及びＶ’画像データを生成して、拡大ＹＵＶ画像保持部４２に保持させる。なお、拡大率は、劣化装置１Ｓの画像縮小部３６の縮小率の逆数、即ちリサイズできる倍率であるものとする。
拡大ＹＵＶ画像保持部４２は、Ｙ’画像データ、Ｕ’画像データ、及びＶ’画像データを保持する。
【００３５】
ＹＵＶ−ＲＧＢ変換部４３は、拡大ＹＵＶ画像保持部４２が保持するＹ’画像データ、Ｕ’画像データ、及びＶ’画像データに対して、色空間変換（輝度色差空間（ＹＵＶ）−ＲＧＢ空間）処理を施すことで、ＲＧＢ形式の劣化画像データを生成して、ＲＧＢ画像保持部４４に保持させる。このようにして生成されたＲＧＢ形式の劣化画像データの各成分を、以下、「Ｒ’画像データ」、「Ｇ’画像データ」及び「Ｂ’画像データ」と夫々呼ぶ。
ＲＧＢ画像保持部４４は、ＹＵＶ−ＲＧＢ変換部４３が生成したＲ’画像データ、Ｇ’画像データ及びＢ’画像データを保持する。
【００３６】
超解像処理部４５は、Ｒ’画像データ、Ｇ’画像データ及びＢ’画像データのそれぞれに対して超解像処理を施すことで、ＲＧＢ形式の元のカラー画像データに対応する画像データを生成して、超解像ＲＧＢ画像保持部４６に保持させる。このようにして生成されたＲＧＢ形式の画像データの各成分を、以下、「Ｒ画像データ」、「Ｇ画像データ」及び「Ｂ画像データ」と呼ぶ。
【００３７】
超解像処理部４５に採用可能な超解像処理としては、例えば次のような処理が挙げられる。
例えば、対象画像情報のうち輝度信号情報に基づいて演算を行うものであって、劣化情報の分布と、伝達系の位相特性も含んだ伝達関数を用いて、劣化画像の分布を実現し得る原画像の分布のうちで最大に尤もらしい分布を反復計算によって推定し劣化画像を復元する処理を、超解像処理部４５に採用してもよい。なお、本処理のさらなる詳細については、特許文献１を参照するとよい。
或いは例えば、劣化情報の分布と原情報の分布とに基づいて伝達系の伝達特性を反復計算によって推定し劣化画像を復元する処理を、超解像処理部４５に採用してもよい。なお、本処理のさらなる詳細については、特許文献２を参照するとよい。
或いは例えば、劣化情報の分布のみに基づいて伝達系の伝達特性と、原情報の分布の双方を反復計算によって推定し劣化画像を復元する処理を、超解像処理部４５に採用してもよい。なお、本処理のさらなる詳細については、特許文献２を参照するとよい。
これらの超解像処理を選択的に採用することで、Ｒ画像データ、Ｇ画像データ、及びＢ画像データ毎に夫々高解像となることから、合成によりカラー画像として表示された場合のＲＧＢ間でのずれが解消されることになる。これにより、鮮やかさをトレードオフする事無く、ミスレジストレーションを解消したカラー画像、即ち元のカラー画像とほぼ同等の画質のカラー画像の表示が可能になる。
【００３８】
超解像ＲＧＢ画像保持部４６は、超解像処理部４５が生成するＲ画像データ、Ｇ画像データ及びＢ画像データを保持する。
【００３９】
カラー復元画像生成部４７は、超解像ＲＧＢ画像保持部４６が保持するＲ画像データ、Ｇ画像データ及びＢ画像データに基づいて、元のカラー画像データの復元画像データ（以下、「カラー復元画像データ」と呼ぶ）を生成する。
【００４０】
図４は、元のカラー画像と、Ｙ画像、Ｕ画像、Ｖ画像の例を示す図である。
【００４１】
図４Ｏｒｉｇｉｎａｌ  Ｃは、元のカラー画像の一例である。即ち、図４Ｏｒｉｇｉｎａｌ  Ｃに対応する画像データが、元のカラー画像データとして劣化装置１Ｓの原画像ＤＢ３０に記憶されている。
この元のカラー画像データに基づいてＹＵＶ画像生成部３１により生成されて、ＹＵＶ画像保持部３２に保持されたＹ画像データ、Ｕ画像データ、及びＶ画像データの夫々に対応する各画像が、図４Ｙに示Ｙ画像、図４Ｕに示すＵ画像、及び図４Ｖに示すＶ画像である。
なお、説明を容易なものとすべく、以下断りの無い限り、各画像に対応する画像データについても、単に各画像で表現して説明する。
【００４２】
図４Ｙ’は、輝度信号劣化部３３が、上記一例におけるＹ画像（図４Ｙ）から情報量を１／５にまで劣化させて生成した、Ｙ’画像である。なお、図４Ｙ’は、図４Ｙの略１／５の大きさで描かれているが、画像の大きさは情報量をイメージしたものであって、実際の画像ピクセル数は図４Ｙと同一である。
図４Ｕ’は、色差信号劣化部３４が、上記一例におけるＵ画像（図４Ｕ）から情報量を１／５にまで劣化させて生成する、Ｕ’画像である。なお、図４Ｕ’は、図４Ｕの略１／５の大きさで描かれているが、画像の大きさは情報量をイメージしたものであって、実際の画像ピクセル数は図４Ｕと同一である。
図４Ｖ’は、色差信号劣化部３４が、上記一例におけるＶ画像（図４Ｖ）から情報量を１／５にまで劣化させて生成する、Ｖ’画像である。なお、図４Ｖ’は、図４Ｖの略１／５の大きさで描かれているが、画像の大きさは情報量をイメージしたものであって、実際の画像ピクセル数は図４Ｖと同一である。
【００４３】
図４Ｕ’’は、画像縮小部３６が、上記一例におけるＵ’画像（図４Ｕ’）から画像を縮小するサイズ変更処理を行い生成する、Ｕ’’画像である。図４Ｕ’’は、実際の画像ピクセル数の通り、図４Ｕ’の略１／４の大きさで描かれており、情報量では図４Ｕの１／２０である。
図４Ｖ’’は、画像縮小部３６が、上記一例におけるＶ’画像（図４Ｖ’）から画像を縮小するサイズ変更処理を行い生成する、Ｖ’’画像である。図４Ｖ’’は、実際の画像ピクセル数の通り、図４Ｖ’の略１／４の大きさで描かれており、情報量では図４Ｖの１／２０である。
【００４４】
図５は、上記一例におけるＹ’’画像、Ｕ’’画像、Ｖ’’画像を示す図である。
【００４５】
図５Ｙ’’は、画像縮小部３６が、上記一例におけるＹ’画像（図４Ｙ’）から画像を縮小するサイズ変更処理を行い生成する、Ｙ’’画像である。図５Ｙ’’は、実際の画像ピクセル数の通り、図４Ｙ’の略１／４の大きさで描かれており、情報量では図４Ｙの１／２０である。
図５Ｕ’’図５Ｖ’’については、図４Ｕ’’図４Ｖ’’と同様である。
【００４６】
図６は、上記一例における復元時のＲ’画像、Ｇ’画像、Ｂ’画像等を示す図である。
【００４７】
図６Ｙ’については、図４Ｙ’と同様である。
図６Ｕ’’’は、画像拡大部４１が、上記一例におけるＵ’’画像（図４Ｕ’’）から画像を拡大するサイズ変更処理を行い生成する、Ｕ’’’画像である。図６Ｕ’’’は、実際の画像ピクセル数の通り、図４Ｕ’と同じ大きさで描かれており、情報量では図４Ｕ’’の４倍である。
図６Ｖ’’’は、画像拡大部４１が、上記一例におけるＶ’’画像（図４Ｖ’’）から画像を拡大するサイズ変更処理を行い生成する、Ｖ’’’画像である。図４Ｖ’’’は、実際の画像ピクセル数の通り、図４Ｖ’ と同じ大きさで描かれており、情報量では図４Ｖ’’の４倍である。
【００４８】
図６Ｒ’は、ＹＵＶ−ＲＧＢ変換部４３が、上記一例におけるＹ’画像、Ｕ’’’画像及びＶ’’’画像から色空間変換処理を行い生成する、Ｒ’画像である。
図６Ｇ’は、ＹＵＶ−ＲＧＢ変換部４３が、上記一例におけるＹ’画像、Ｕ’’’画像及びＶ’’’画像から色空間変換処理を行い生成する、Ｇ’画像である。
図６Ｂ’は、ＹＵＶ−ＲＧＢ変換部４３が、上記一例におけるＹ’画像、Ｕ’’’画像及びＶ’’’画像から色空間変換処理を行い生成する、Ｂ’画像である。
【００４９】
図６Ｃ’は、上記一例におけるＲ’画像、Ｇ’画像及びＢ’画像から超解像処理部４５が超解像処理を行い、カラー復元画像生成部４７が合成を行い生成する、カラー復元画像である。
【００５０】
図７は、復元時のＲ’画像、Ｇ’画像、Ｂ’画像等の別の例（Ｙ’’が生成された場合の例）を示す図である。
【００５１】
図７Ｙ’’、図７Ｕ’’ 及び図７Ｖ’’については、図５Ｙ’’、図５Ｕ’’ 及び図５Ｖ’’と同様である。
図７Ｙ’’’は、画像拡大部４１が、上記別の例におけるＹ’’画像（図５Ｙ’’）から画像を拡大するサイズ変更処理を行い生成する、Ｙ’’’画像である。図７Ｙ’’’は、実際の画像ピクセル数の通り、図４Ｙ’ と同じ大きさで描かれており、情報量では図４Ｙ’’の４倍である。
図７Ｕ’’’ 及び図７Ｖ’’’については、図６Ｕ’’’ 及び図６Ｖ’’’と同様である。
【００５２】
図７Ｒ’は、ＹＵＶ−ＲＧＢ変換部４３が、上記別の例におけるＹ’’’画像、Ｕ’’’画像及びＶ’’’画像から色空間変換処理を行い生成する、Ｒ’画像である。
図７Ｇ’は、ＹＵＶ−ＲＧＢ変換部４３が、上記別の例におけるＹ’’’画像、Ｕ’’’画像及びＶ’’’画像から色空間変換処理を行い生成する、Ｇ’画像である。
図７Ｂ’は、ＹＵＶ−ＲＧＢ変換部４３が、上記別の例におけるＹ’’’画像、Ｕ’’’画像及びＶ’’’画像から色空間変換処理を行い生成する、Ｂ’画像である。
【００５３】
図７Ｃ’は、上記別の例におけるＲ’画像、Ｇ’画像及びＢ’画像から超解像処理部４５が超解像処理を行い、カラー復元画像生成部４７が合成を行い生成する、カラー復元画像である。
【００５４】
図８は、本発明の適用によるミスレジストレーション解消の効果の一例を示す図である。
図８（Ａ）は、ミスレジストレーションが発生しているカラー画像の例である。
図８（Ｂ）は、鮮やかさをトレードオフして、ミスレジストレーションを低減させたカラー画像の例である。
図８（Ｃ）は、本発明に係る伝送方法を適用して、ミスレジストレーションを解消させたカラー画像の例である。
【００５５】
以上、本発明の一実施形態について説明したが、本発明は、上述の実施形態に限定されるものではなく、本発明の目的を達成できる範囲での変形、改良等は本発明に含まれるものである。
【００５６】
例えば復元装置ＩＲに採用された超解像処理は、上述の実施形態では特許文献１又は２に基づく処理とされたが、特にこれに限定されない。
即ち、この超解像処理は、対象画像情報のうち輝度信号情報に基づいて演算を行うものであれば公知の任意のものを採用することができる。この様にすることにより、ＲＧＢ画像毎に夫々高解像となることから、合成によりカラー画像とした場合のＲＧＢ間でのずれが解消されることになる。これにより、鮮やかさをトレードオフする事無く、ミスレジストレーションを解消したカラー画像、即ち元のカラー画像とほぼ同等の画質のカラー画像の表示が可能になる。
【００５７】
換言すると、ミスレジストレーションを解消するためには、劣化装置１Ｓにおいて、元のカラー画像データに対して劣化処理が施され、その結果得られる劣化カラー画像データが送信され、復元装置１Ｒにおいて、劣化カラー画像データがＲＧＢ形式に変換されたうえで、元のカラー画像データを復元する復元処理（超解像処理部４５やカラー復元画像生成部４７の処理）が実行されればよい。
【００５８】
また例えば、図２に示すハードウェア構成は、本発明の目的を達成するための例示に過ぎず、特に限定されない。
【００５９】
また例えば、図３に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図３の例に限定されない。
【００６０】
また例えば、機能ブロックの存在場所も、図３に限定されず、任意でよい。
また、１つの機能ブロックは、ハードウェア単体で構成してもよいし、ソフトウェア単体で構成してもよいし、それらの組み合わせで構成してもよい。
【００６１】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００６２】
このようなプログラムを含む記録媒体は、プログラムを提供するために装置本体とは別に配布される、リムーバブルメディアにより構成されるだけではなく、装置本体に予め組み込まれた状態で提供される記録媒体等で構成される。
【００６３】
また、本明細書において、システムの用語は、複数の装置や複数の手段等より構成される全体的な装置を意味するものである。
【００６４】
以上まとめると、本発明が適用される情報処理システムは、次のような構成を取れば足り、各種各様な実施形態を取ることができる。
即ち、本発明が適用される情報処理システムは、
カラー画像データを劣化させる劣化装置と、劣化された当該カラー画像データから劣化前の当該カラー画像データを復元する復元装置とを含む情報処理システムであって、
前記劣化装置は、前記カラー画像データを劣化させる劣化処理を実行することで、劣化カラー画像データを生成し、
前記復元装置は、前記劣化カラー画像データをＲＧＢ形式に変換したうえで、前記カラー画像データを復元する復元処理を実行する。
これにより、ミスレジストレーションを生じさせることなく、カラー画像データを劣化させて伝送することが可能になる。
【００６５】
ここで、ＹＵＶは方式によって４４４、４２２，４２０等があるが、どのような方式であっても本発明の劣化による情報削減は、元の情報量の比率で決まり、ＹＵＶの方式に依存しない。
【００６６】
また、劣化装置が実行する劣化手順は、図３等の記載には限定されず、例えば先ず画像の縮小を行ってから、輝度信号及び色差信号の劣化を行うこともできる。同様に、復元装置においてもＹ’’が生成された場合であれば、先ず色空間変換処理を行ってからＲＧＢ画像を拡大することもできる。
【００６７】
また、復元装置は、その間に１回目の超解像処理を行い、拡大後にさらに超解像処理を行うこととしてもよい。
【００６８】
また、復元装置は、色空間変換（輝度色差空間（ＹＵＶ）−ＲＧＢ空間）処理を直接行う必要は無く、ＹＵＶ形式から一旦他の形式に変換した後に、ＲＧＢ形式に変換しても良く、さらにその変換の間で拡大処理を行うこととしても良い。
【符号の説明】
【００６９】
１Ｓ・・・  劣化装置
１Ｒ・・・  復元装置
１・・・  情報処理装置
１１・・・  ＣＰＵ
１２・・・  ＲＯＭ
１３・・・  ＲＡＭ
１４・・・  バス
１５・・・  入出力インターフェース
１６・・・  出力部
１７・・・  入力部
１８・・・  記憶部
１９・・・  通信部
２０・・・  ドライブ
２５・・・  リムーバブルメディア
３０・・・  原画像ＤＢ
３１・・・  ＹＵＶ画像生成部
３２・・・  ＹＵＶ画像保持部
３３・・・  輝度信号劣化部
３４・・・  色差信号劣化部
３５・・・  劣化ＹＵＶ画像保持部
３６・・・  画像縮小部
３７・・・  縮小劣化ＹＵＶ画像保持部
３８・・・  通信制御部
４０・・・  通信制御部
４１・・・  画像拡大部
４２・・・  拡大ＹＵＶ画像保持部
４３・・・  ＹＵＶ−ＲＧＢ変換部
４４・・・  ＲＧＢ画像保持部
４５・・・  超解像処理部
４６・・・  超解像ＲＧＢ画像保持部
４７・・・  カラー復元画像生成部
Ｎ・・・  ネットワーク
【図１】
2017058739.tif 000003
【図２】
2017058739.tif 000004
【図３】
2017058739.tif 000005
【図４】
2017058739.tif 000006
【図５】
2017058739.tif 000007
【図６】
2017058739.tif 000008
【図７】
2017058739.tif 000009
【図８】
2017058739.tif 000010